(57)【特許請求の範囲】
【請求項１】
時計機能および無線部オフ機能を有する携帯移動電話装置において、
自装置の現在位置情報を取得する位置取得手段と、
前記無線部オフ機能を実現したい指定位置情報および指定時間帯を登録するメモリ手段と、
前記指定時間帯において前記位置取得手段により取得した現在位置情報が前記指定位置情報に対応した場合には前記無線部オフ機能を自動的に設定し、前記指定時間帯の終了時に前記無線部オフ機能が設定されており、かつ、前記現在位置情報が前記指定位置情報に対応しない場合には前記無線部オフ機能を自動的に解除し、前記指定時間帯の終了時に、前記無線部オフ機能が設定されており、かつ、前記現在位置情報が前記指定位置情報に対応する場合には前記無線部オフ機能の解除を抑止する制御手段と、
を有することを特徴とする携帯移動電話装置。
【請求項２】
指定位置情報および指定時間帯は複数組登録されていることを特徴とする請求項１に記載の携帯移動電話装置。
【請求項３】
自己の現在位置を取得する機能、時計機能および無線送受信機能を有する携帯移動電話装置の無線部オフモード制御方法において、
無線部オフ機能を実現したい指定位置情報および指定時間帯を登録し、
前記指定時間帯において現在位置が前記指定位置情報に対応した場合には前記無線部オフ機能を自動的に設定し、
前記指定時間帯の終了時に、前記無線部オフ機能が設定されており、かつ、前記現在位置が前記指定位置情報に対応しない場合には、前記無線部オフ機能を自動的に解除し、
前記指定時間帯の終了時に、前記無線部オフ機能が設定されており、かつ、前記現在位置が前記指定位置情報に対応する場合には前記無線部オフ機能の解除を抑止する、
ことを特徴とする無線部オフモード制御方法。
【請求項４】
前記指定時間帯は開始時刻と終了時刻とによって指定され、
前記開始時刻になると現在位置を取得し、現在位置が前記指定位置情報に対応すれば前記無線部オフ機能を設定して少なくとも前記終了時刻まで維持することを特徴とする請求項３に記載の無線部オフモード制御方法。
【請求項５】
指定位置情報および指定時間帯は複数組登録されていることを特徴とする請求項３または４に記載の無線部オフモード制御方法。
【発明の詳細な説明】
【０００１】
【発明の属する技術分野】
本発明は携帯移動電話装置に関し、特にタイマー機能を搭載した携帯移動電話装置における無線部オフモード制御の改良に関する。
【０００２】
【従来の技術】
一般に携帯移動電話装置は迷惑防止の観点から無線部オフに設定が可能になっている。無線部オフモード機能を搭載した携帯移動電話装置における、従来の無線部オフの制御方法を、図４のフローチャートを用いて説明する。携帯移動電話装置を利用する際に、ユーザは無縁部オフ機能を使用する場合（ステップＳＴ１；Ｙｅｓ）、所定の操作キーを操作して無線部オフ設定を指示する（ＳＴ２）。この操作に応じて携帯移動電話装置が無線部オフに設定される（ＳＴ３）。無線部オフ設定中にユーザが所定の操作キーを操作して無線部オフ設定解除を指示する（ＳＴ５）。この操作に応じて携帯移動電話装置が無線部オフ設定が解除される（ＳＴ６）。このように、従来は無線部オフ機能は毎回ユーザが手動操作により設定および解除を行っている。
【０００３】
なお、多くの携帯移動電話装置では、省電力化の目的でも電源部の制御が自動的に行われる。例えば、特開平１１−４１１６８号公報には受信状態すなわち現在位置が携帯電話システムのサービス圏外であることを検出した場合に電源スイッチをオフするもの等が開示されている。電源スイッチオフ時には、一定時間毎に復帰の要否が判定される。特開平９−２８９４８６号公報に開示のＰＨＳ端末では、サービスエリア圏外に移動した場合に自動的に電源をオフ状態にするとともに、タイマー機能を利用して一定時間経過後に電源をオン状態に切り替えている。しかし、これらの機能は、サービス圏内で意図的に無線部オフ状態にしたい場合には有効ではない。
【０００４】
このような従来の無線部オフ制御方法においては、無線部オフの設定及び解除は、毎回ユーザが自ら設定しなければならず多分に煩雑な操作が要求されることである（第１の問題点）。この点を考慮して、例えば特開２００１−２８５４４２号公報に開示の携帯電話機では、電源のオフによって着信を禁止する操作の煩わしさを解消するためにタイマー機能（時計機能）を利用して着信を禁止する特定の時間帯を設定し、その時間になったら自動的に着信を禁止する技術により、通勤時の車内など毎日同じ時間帯に操作するわずらわしさを解消している。なお、同様に設定した特定の時間帯に操作キーのロックを行うことについても提案されている。しかしこの種の従来技術では、無線部オフの設定及び解除が煩雑であるとの第１の問題点を充分解決していない。
【０００５】
この他、従来の無線部オフ制御方法においては、無線部オフが必要な時間帯と場所においてユーザが設定を忘れていたり、反対に設定解除を忘れて意図せず着信を受けれないといった事態が発生してしまうという第２の問題点を有している。
【０００６】
【発明が解決しようとする課題】
本発明は、上記各問題点に対処すべくなされたもので、タイマー機能を搭載した携帯移動電話装置において、使用者が設定しておいた時間帯と場所において自動的に無線部オフモード制御を行い、無線部オフモードを操作性良く適切かつ確実に活用できる携帯移動電話装置を提供する事を目的とする。
【０００７】
【課題を解決するための手段】
請求項１に記載の発明によれば、時計機能および無線部オフ機能を有する携帯移動電話装置は、自装置の現在位置情報を取得する位置取得手段と、前記無線部オフ機能を実現したい指定位置情報および指定時間帯を登録するメモリ手段と、前記指定時間帯において前記位置取得手段により取得した現在位置情報が前記指定位置情報に対応した場合には前記無線部オフ機能を自動的に設定し、前記指定時間帯の終了時に前記無線部オフ機能が設定されており、かつ、前記現在位置情報が前記指定位置情報に対応しない場合には前記無線部オフ機能を自動的に解除し、前記指定時間帯の終了時に、前記無線部オフ機能が設定されており、かつ、前記現在位置情報が前記指定位置情報に対応する場合には前記無線部オフ機能の解除を抑止する制御手段と、を有することを特徴とする。
【０００８】
請求項２に記載の発明によれば、指定位置情報および指定時間帯は複数組登録されていることを特徴とする。
【０００９】
請求項３に記載の発明によれば、自己の現在位置を取得する機能、時計機能および無線送受信機能を有する携帯移動電話装置の無線部オフモード制御方法は、無線部オフ機能を実現したい指定位置情報および指定時間帯を登録し、前記指定時間帯において現在位置が前記指定位置情報に対応した場合には前記無線部オフ機能を自動的に設定し、前記指定時間帯の終了時に、前記無線部オフ機能が設定されており、かつ、前記現在位置が前記指定位置情報に対応しない場合には、前記無線部オフ機能を自動的に解除し、前記指定時間帯の終了時に、前記無線部オフ機能が設定されており、かつ、前記現在位置が前記指定位置情報に対応する場合には前記無線部オフ機能の解除を抑止する、ことを特徴とする。
【００１０】
請求項４に記載の発明によれば、前記指定時間帯は開始時刻と終了時刻とによって指定され、前記開始時刻になると現在位置を取得し、現在位置が前記指定位置情報に対応すれば前記無線部オフ機能を設定して少なくとも前記終了時刻まで維持することを特徴とする。
【００１１】
【発明の実施の形態】
〔実施例〕図１は、本発明の一実施例としての、位置情報取得機能およびタイマー機能を搭載した携帯移動電話装置の構成を示すブロック図である。図では、本発明に関連する部分のみ示す。図１において、操作部２０４で無線部オフを実現したい時間帯（開始時刻、終了時刻）と位置情報を登録（設定）し、そのデータは、制御部２０２によってメモリ部２０７の開始時刻登録部２０８と終了時刻登録部２０９、位置情報登録部１２０にそれぞれ格納記憶する。
【００１２】
開始時刻が到来すると制御部２０２は表示部２０３に無線部オフモード制御開始の表示を行う。そして、開始時刻以降に無線送受信部２０１が取得した携帯電話基地局の位置情報を基にして、制御部２０２がメモリ部２０７の位置情報登録部２１０に格納された指定位置情報のデータ中に一致するものがあるかを照会し一致するものがある場合には無線部オフモードの設定を行う。終了時刻が到来すると制御部２０２は無線部オフモードの設定解除を行う。
【００１３】
以下、本発明を図面を用いて更に説明する。図１のブロック図を参照すると、本実施例の携帯移動電話装置は、無線送受信部２０１、制御部２０２、表示部２０３、操作部２０４、受話部２０５、送話部２０６およびメモリ部２０７を備えている。無線送受信部２０１は、自装置の現在位置情報を取得する位置情報取得手段２０１ａを含み構成されている。制御部２０２は、タイマー部２０２ａを含み構成されている。メモリ部２０７は、無線部オフ機能の開始時刻を記憶するための、開始時刻登録部２０８と終了時刻を記憶するための終了時刻登録部２０９および指定位置情報を記憶するための位置情報登録部２１０を備えている。制御部２０２は、各部の制御を行う。
【００１４】
図１において、無線送受信部２０１は無線基地局との間に無線回線を確立し、無線基地局からの着信を検出する。使用者は受話部２０５及び送話部２０６を用いて通話を行う。操作部２０４は携帯移動電話装置における種々の機能の設定や、電話番号の入力をするために用いられる。表示部２０３はこれらの設定内容の表示等に用いる。
【００１５】
実施例で使用する位置情報は、所定操作に応じて基地局から提供され無線送受信部２０１の位置取得手段２０１ａにて取得し、制御部２０２によりメモリ部２０７の位置情報登録部２１０に格納される。また、開始時刻と終了時刻の設定は操作部２０４から行われ、設定データは制御部２０２によりメモリ部２０７の開始時刻登録部２０８と終了時刻登録部２０９に格納される。
【００１６】
後述する無線部オフ制御の予約登録には、無線部オフ機能の開始時刻と終了時刻が対にして格納される。開始時刻と終了時刻は単独に、あるいは無線部オフ機能の指定位置情報と対応付けて登録される。無線部オフ機能の指定位置情報は、単独に登録が可能である。こうした予約登録は、メモリ部２０７に複数（組）登録することが可能である。
【００１７】
続いて、本実施例の動作について図２，図３を用いて詳述する。図２は無線部オフ予約登録（設定）における指定データ登録設定画面を示している。また、図３は図１に示した実施例の携帯移動電話装置の動作を詳しく示すフローチャートである。
【００１８】
使用者は、まず表示部２０３の指定データ登録設定画面（図２参照）を見ながら、操作部２０４のキー操作にて開始時刻、終了時刻、無線部オフを行う位置の位置情報（指定位置情報）を入力して時間帯と位置情報による無線部オフ制御の予約登録（設定）をする（S1）。開始時刻、終了時刻、位置情報それぞれは、制御部２０２によってそれぞれメモリ部２０７の、開始時刻登録部２０８と終了時刻登録部２０９と位置情報登録部２１０にそれぞれ格納登録される。
【００１９】
開始時刻になるとタイマー部２０２ａにより開始信号が出され（S2）、制御部２０２は開始時刻から終了時刻までの間、無線送受信部２０１の位置情報取得手段２０１ａで取得した現在の位置情報と位置情報登録部に格納されている無線部オフを実現したい指定位置情報とを比較し（S3）、一致する位置情報がある場合に（S4のYes ）、無線部オフモードに設定する（S5）。タイマー終了時刻前には無線部オフモードが継続するが（S6のNo）、時間が経過して設定した終了時刻になると（S6のYes ）、無線部オフモードは設定解除される（S7）。
【００２０】
なお、タイマー機能と独立して、現在位置情報のみに基づく無線部オフ機能の予約設定も混在設定可能でる。この場合には、使用者が、操作部２０４のキー操作にて指定位置情報を入力して無線部オフの予約登録（設定）をする。指定位置情報は、制御部２０２によってメモリ部２０７の、位置情報登録部２１０に格納登録される。
【００２１】
制御部２０２は無線送受信部２０１が取得した現在の位置情報と位置情報登録部に格納された無線部オフを実現したい指定位置情報とを比較して、一致する位置情報がある場合には無線部オフモードに設定（あるいは設定維持）し、一致する位置情報がない場合に無線部オフモードを解除する（あるいは解除状態を維持する）。実施例ではこの他にも従来同様のタイマー機能のみに依存した時間帯のみによる無線部オフ機能の予約設定も併せて混在設定可能なものとする。
【００２２】
このようにして、時間帯指定のデータおよび／または位置情報のデータを用いて無線部オフを制御することから、現在の位置的状況も加味した適切な制御が行われる。なお、実施例の位置情報取得手段に替えて、ＧＳＰ（Global Positioning System)回路を利用するようにしても良い。
【００２３】
実施例から明らかなように、本願発明では、使用者が手動で毎回設定及び解除を行っていた無線部オフモードを所定場所に応じてまたタイマー機能を利用して自動的に設定及び解除することが可能なので、従来の携帯移動電話装置のように毎回ユーザの手動操作により無線部オフの設定を行う必要がなくなり煩雑でなく、操作性が向上する。特に、無線部オフが必要な時間帯と場所において無線部オフの設定を忘れてしまう不都合が確実に解消され、例えば公共の交通手段などを定時間帯に利用する際、周囲の人々の迷惑にならないよう配慮できる。また、無線部オフの解除を忘れて着信を受けられないといった不都合な事態を防ぐことができる。このように従来技術の問題点が解消され無線部オフ機能を適切に活用できる。
【００２４】
なお、実施例の制御以外にも、設定により終了時刻が到来しても一致する指定位置情報データがある場合に無線部オフモードの設定解除を抑止するように制御部２０２が制御するようにすることも可能である。また、位置情報登録部に登録された情報のみに基づいて無線部オフモードの設定・解除を行うよう制御することも考えられる。あるいは、各制御を併用して予約登録可能に構成しても良い。
【００２５】
【発明の効果】
以上説明したように、本発明によれば、以下に列記するような効果を奏する。すなわち、第１の効果は無線部オフモードの設定及び解除を事前の登録により自動化しているので、仮に使用者が設定や解除を忘れた場合でも確実に適切な無線部オフモード設定が行われ意図しない不都合が防止できることである。また、第２の効果は予め指定した時間帯、更には位置情報に基づいての無線部オフモードの予約設定が可能にしているので、個人毎に多様な、場所も含めた任意のスケジュールに合わせた無線部オフモード機能の活用や、周囲の環境や状況に合わせたきめ細かな利用ができることである。
【図面の簡単な説明】
【図１】本発明一実施例の携帯移動電話装置の概略構成を示すブロック図である。
【図２】無線部オフ予約登録における指定データ登録設定画面例を示す図である。
【図３】実施例の携帯移動電話装置の動作を詳しく示すフローチャートである。
【図４】従来の無線部オフの制御方法を、示すフローチャートである。
【符号の説明】
２０１…無線送受信部
２０１ａ…位置情報取得手段
２０２…制御部
２０２ａ…タイマー部
２０３…表示部
２０４…操作部
２０５…受話部
２０６…送話部
２０７…メモリ部
２０８…開始時刻登録部
２０９…終了時刻登録部
２１０…指定位置情報登録部
【図１】
0003673764.tif 000002
【図２】
0003673764.tif 000003
【図３】
0003673764.tif 000004
【図４】
0003673764.tif 000005